(57)【要約】      （修正有）【課題】使用後に原型状または横潰し状態で廃棄処理されるペットボトルなどの容器のゴミ袋の嵩張りとそれに伴う廃棄物運搬作業の不便姓を改善し、また廃棄物処理施設作業及びリサイクル処理工程の効率化と省力化や簡素化のため、使用後のペットボトルを小型化できる技術を提供する。【解決手段】ペットボトル等の円筒形容器には肉厚に差をつけた傘型の蛇腹状又は螺旋状の凹凸溝を施し、角柱形容器には凹凸溝のそれぞれの両端を角度４５度で形成した上、それぞれ接合する角部分に肉厚を他部分より薄くした菱形の緩衝帯部分を挟み込み、小型化した時に緩衝帯部分が圧縮されて角度４５度の形成部分が容易に接し合う構造とし、それぞれ使用後、人力で上部から物理的圧力を加えて縦方向に圧縮し、容器の形状と容積を可能範囲に小型化する。【選択図】図２
0003104082.tif 000002
【実用新案登録請求の範囲】
【請求項１】
産業廃棄物の処理に寄与するものであって、円筒形又は角柱形のペットボトル等の容器側壁部に、厚さに部分的な差をつけた蛇腹状又は螺旋状の凹凸の溝を幾重にも刻み、使用後、上部から人力で物理的圧力を加えて縦方向に圧縮し、容器の形状と容積を可能範囲に縮小することで、廃棄処理及びリサイクル処理工程での作業効率向上と省力化及び簡素化を図る圧縮小型化可能な薄厚型容器。
【請求項２】
円筒形ペットボトル等の容器の側壁部に施す蛇腹状又は螺旋状の溝の形状は、断面が半円に近い傘型とし、その凹凸の肉厚には下部分を上部分より薄くした特徴を持たせることで、上からの圧力に対する抵抗力を弱めるようにして容易に圧縮できる請求項１に記載の圧縮小型化可能な薄厚型容器。
【請求項３】
角柱形ペットボトル等の容器の側壁部に施す蛇腹状又は螺旋状の溝の形状は、圧縮時に四箇所の角部分が重ならずに接し合うようにするため、それぞれ伸長時の凹凸溝の両端を角度４５度に形成し、その間の角部分に菱形の緩衝帯部分を設け、さらに菱形部分の肉厚を他部分より薄くした構成を特徴とすることで、上からの圧力に対する抵抗力を弱めるようにして容易に圧縮できる請求項１に記載の圧縮小型化可能な薄厚型容器。
【考案の詳細な説明】
【技術分野】
【０００１】  本考案は、樹脂製のペットボトル等の飲食物用容器や医療点滴用容器などの構造の改良と廃棄処分に関するものである。
【背景技術】
【０００２】  従来のペットボトル等の容器の廃棄処理は、使用後に横に潰して圧縮廃棄するなどの指導がなされているが、原型と大差ない形状で廃棄されるためにゴミ袋の容器が嵩張り、このため廃棄処分場所や廃棄物収集運搬に多くの空隙空間が伴い相当の作業負担や処理費用がかかり、また廃棄物処理施設及びリサイクル処理での工程でも容器の小型化作業に多大な負荷がかかるなど作業効率が悪い。【０００３】  この改善のためには、樹脂製のペットボトル等の容器が使用後に容易に圧縮小型化できて作業効率向上が図られるように、容器の構造の改良が必要と考えられる。
【考案の開示】
【考案が解決しようとする課題】
【０００４】  解決しようとする問題は、以下のような課題である。
（イ）  現行のペットボトルの廃棄処理は、原型状または横潰し状態で廃棄されるので廃棄処理の際にゴミ袋が嵩張るため、作業に負担がかかり、また廃棄場所及び廃棄物収集車の収容力にも相当の負荷を与えている。
（ロ）  現行のペットボトルの廃棄処理は、嵩張った原型状または横潰し状態で廃棄されるため、廃棄物処理施設及びリサイクル処理工程での処理効率を悪くしている。
（ハ）  ペットボトルなどの容器に蛇腹状の溝を施し縮小小型化して廃棄する考案はこれまで種々なされているが、いずれもが同一肉厚のまま全体的に均質構造での形成を特徴としているため、圧縮小型化に難が伴っている。
（ニ）  特に角柱形のペットボトル容器に関した考案は、容器側壁部の凹凸溝の両端の角度が９０度のままで形成されているため、小型化する際に四方の角部分が容易には圧縮されず、実際の廃棄物処理現場では十分に圧縮変形されて廃棄されているとは言い難い。
本考案は、以上の課題を改善し、容易に圧縮小型化できるペットボトル等の容器を提供することを目的としている。
【課題を解決するための手段】
【０００５】  本考案は、この目的を達成するために、ペットボトル等の円筒形容器には肉厚に差のある半円形に近い傘型の蛇腹状又は螺旋状の凹凸溝を施し、角柱形容器には凹凸溝のそれぞれの両端を角度４５度で形成した上、それぞれ接合する角部分に肉厚を他部分より薄くした菱形の緩衝帯部分を挟み込むことで、圧縮小型化した時に緩衝帯部分が接合部分の重なりを吸収するようにして角度４５度の両端が容易に接し合う構造とし、それぞれ使用後、上部から人力で物理的圧力を加えた時に容器の形状と容積が縦方向に可能範囲に小型化できるようにした。
本考案は、以上の構成で成り立ち、家庭での飲食用ペットボトルや医療用点滴容器などの廃棄に関わる回収、運搬、処理及びリサイクル処理工程での作業率向上と省力化及び簡素化を図る圧縮小型化可能な薄厚型容器である。
【考案の効果】
【０００６】  本考案の効果として、円筒形又は角柱形ペットボトルは人力により容易に圧縮小型化できるため、消費者が廃棄する際に嵩張らず回収運搬作業の効率向上に役立ち、廃棄物処理施設での費用削減や省力化にも効果を出し、またリサイクル工程でも作業効率を高めるなどの効果を奏する。
【考案を実施するための最良の形態】
【０００７】  以下、本考案を実施するための最良の形態を図面を参照しながら説明する。
図１は、円柱形ペットボトルなどの容器の通常本体１と圧縮時の正面図であるが、側壁部５に施す蛇腹状又は螺旋状の凹凸溝２は断面が半円形に近い形状とし、それぞれの凹凸溝２の肉厚を下部４が上部３より薄くした構成とすることで、容器を圧縮する上からの圧力が下部４に吸収されるように成形し、容易に小型化できる構造を持つ最良の形態とすることができる。
図２は、角柱形ペットボトルなどの容器の通常本体１と圧縮時の斜視図であるが、側壁部５に施す蛇腹状の凹凸溝２は、それぞれの両端を角度４５度の形状６とし、四箇所の角部分には菱形の緩衝帯部分７を挟み込み、さらにこの緩衝帯部分７の肉厚を他の側壁部分５より薄くして成形し、容器を圧縮する上からの圧力が緩衝帯部分７に吸収されるように構成することにより、容易に小型化できる構造を持つ最良の形態とすることができる。
【実施例】
【０００８】  本考案の実施例について説明すると、清涼飲料水やジュ−ス、醤油、みりん、清酒など飲食用ペットボトルや医療点滴用の容器のほか、シャンプ−など入浴用樹脂容器が例示される。
【産業上の利用可能性】
【０００９】  本考案の活用例として、ペットボトルのほかビ−ルなどアルミ缶容器なども挙げることができ、いずれも本考案の技術範囲で変形小型化することができる。
なお、本考案は上記の各対象例の構成のみを包含するものではなく、また考案の要旨の範囲内でいろいろな変形が可能であることはいうまでもない。
【図面の簡単な説明】
【０００１０】
【図１】  本考案の円筒形ペットボトルなどの通常本体と圧縮時の正面図であり、実施例に係る通常状態の形状と圧縮状態の形状をそれぞれ示す説明図である。
【図２】  本考案の角柱形ペットボトルなどの通常本体と圧縮時の斜視図であり、実施例に係る通常状態の形状１圧縮状態の形状をそれぞれ示す説明図である。
【符号の説明】
【０００１１】  １  本体
２  蛇腹又は螺旋状凹凸溝
３  凹凸溝の上部
４  凹凸溝の下部
５  側壁部分
６  角度４５度の側壁部分
７  菱形緩衝帯部分
８  接合部分
９  通常部分
【図１】
0003104082.tif 000003
【図２】
0003104082.tif 000004